(57)【要約】  人が水に溺れる危険を感知するための方法及びシステムが明示され、この方法は、（ａ）この人が水中にいるかを確認し、（ｂ）この人の脈拍を測定し、（ｃ）この人の位置を割り出し、（ｄ）この人に装着されたエネルギー源の容量をモニターし、（ｅ）この人からのデータを受信機へ送信し、（ｆ）脈拍限界値を超えると、この人に取り付けられたガスチャンバをガスで充填し、それによって浮力を与え、及び（ｇ）この受信機において警報を作動させる。本発明の内容は、（ｈ）この人の呼吸頻度を測定し、（ｉ）この人のいる水深での圧力を測定し、（ｊ）この人の体位を測定し、（ｋ）評価／信号ユニットにおいて、境界値データ及び生成したデータを他方と比較し、及び必要に応じて、ガスチャンバをガスで充填し、かつ警報を作動させることによって特徴付けられる。【選択図】図２
2010508197.tif 000002
【特許請求の範囲】
【請求項１】
人が水に溺れる危険を感知するための方法であって、
（ａ）前記人が水中にいるかを確認し、
（ｂ）前記人の脈拍数を測定し、
（ｃ）前記人の位置を割り出し、
（ｄ）前記人に装着された少なくとも１つのエネルギー源の容量をモニターし、
（ｅ）必要に応じて、状態及び位置データを前記人から遠隔受信機へ送信し、
（ｆ）前記人の脈拍数が予め設定された境界値を超えると、前記人の身体に取り付けられたガスチャンバをガスで充填し、それによって水中での十分な浮力を付与し、及び
（ｇ）前記境界値を超えると、前記遠隔受信機において警報を作動させ、
さらに、
（ｈ）前記人の呼吸頻度を測定し、
（ｉ）前記人が位置する水深での圧力及び必要に応じて前記人が沈む速度を測定し、
（ｊ）前記人の体位を測定し、及び
（ｋ）評価及び信号ユニットにおいて、一方では予め設定された境界値データを格納し、他方ではステップ（ａ）〜（ｅ）並びに（ｈ）〜（ｊ）に従って生じたデータを格納し、かつ前記データを互いに比較して、前記生じたデータが前記所定の境界値データを超えるとき、前記ガスチャンバをガスで充填し、かつ前記遠隔受信機において警報を作動させることを特徴とする方法。
【請求項２】
呼吸頻度が人の腹式呼吸に基づいて測定されることを特徴とする請求項１記載の方法。
【請求項３】
呼吸頻度が人の胸式呼吸に基づいて測定されることを特徴とする請求項１記載の方法。
【請求項４】
ガスチャンバのガス充填を電気的に又は点火式で作動させることを特徴とする請求項１〜３のいずれか一項に記載の方法。
【請求項５】
人の位置の割り出しが、ＧＰＳシステムによって行われることを特徴とする請求項１〜４のいずれか一項に記載の方法。
【請求項６】
評価及び信号ユニットから遠隔受信機へのデータの送信が、ＵＨＦ又はＶＨＦ送信機によって行われることを特徴とする請求項１〜５のいずれか一項に記載の方法。
【請求項７】
人の体位の測定が、２つの位置センサを用いて行われることを特徴とする請求項１〜６のいずれかに記載の方法。
【請求項８】
請求項１〜７のいずれか一項に記載の方法を実行するためのシステムであって、
（ａ）水接触センサ（３）、
（ｂ）脈拍センサ（１２）、
（ｃ）ガス供給装置（４）、
（ｄ）前記ガス供給装置（４）からガスを放出するための作動装置（５）、
（ｅ）前記ガス供給装置（４）からのガスを受け入れるために人の身体に配された少なくとも１つのガスチャンバ（２）、
（ｆ）前記人の位置を割り出すための位置決定装置（６）、
（ｇ）状態及び位置データを遠隔受信機（１４）へ無線送信するための送信機（７）、
（ｈ）前記送信機（７）によって送信されたデータを受信するための前記遠隔受信機（１４）、及び
（ｉ）前記システムのこれらの機能ユニットに電流を供給するための少なくとも１つのエネルギー源
を有し、以下の特徴：
（ｊ）前記人の呼吸頻度を測定するための呼吸センサ（１３）、
（ｋ）水圧センサ（８）、
（ｌ）前記人の体位を測定するための少なくとも１つの位置センサ（９、１０）、及び
（ｍ）予め設定された境界値データ及び送信されたデータを格納し、これらのすべてのデータを評価し、かつ前記ガス供給装置（４）の作動装置（５）及び前記送信機へ信号を送信するための評価及び信号ユニット（１１）
によって特徴付けられるシステム。
【請求項９】
水接触センサ（３）が、スイッチ又はホイルとして形成されることを特徴とする請求項８記載のシステム。
【請求項１０】
脈拍センサ（１２）が、胸ベルトに装着されることを特徴とする請求項８又は９記載のシステム。
【請求項１１】
ガス供給装置（４）が、圧縮空気で充填されたカートリッジであることを特徴とする請求項８〜１０のいずれか一項に記載のシステム。
【請求項１２】
ガス供給装置（４）からガスを放出するための作動装置（５）が、電気的に又は点火式で作動可能な開口機構を有することを特徴とする請求項８〜１１のいずれか一項に記載のシステム。
【請求項１３】
ガスで充填できるガスチャンバが、救命胴衣（１）に一体化されることを特徴とする請求項８〜１２のいずれか一項に記載のシステム。
【請求項１４】
位置決定装置（６）がＧＰＳシステムを含み、このＧＰＳシステムがＧＰＳ受信機（１４）で構成されることを特徴とする請求項８〜１３のいずれか一項に記載のシステム。
【請求項１５】
送信機（７）が、ＵＨＦ又はＶＨＦ送信機であることを特徴とする請求項８〜１４のいずれか一項に記載のシステム。
【請求項１６】
呼吸センサ（１３）が、胸ベルトのバックルとして形成されることを特徴とする請求項８〜１５のいずれか一項に記載のシステム。
【請求項１７】
水圧センサ（８）が、人が位置する水深及び人が沈む速度を連続的に測定するために設計されることを特徴とする請求項８〜１６のいずれか一項に記載のシステム。
【請求項１８】
２つの位置センサ（９、１０）を有し、一方がほぼ人の肩の高さで装着されるものであり、他方がほぼ人の腰の高さで装着されるものであることを特徴とする請求項８〜１７のいずれか一項に記載のシステム。
【請求項１９】
評価及び信号ユニット（１１）が、システムの機能ユニットによって送信されたデータを格納しかつ評価するために、プログラム化されたマイクロチップを有することを特徴とする請求項８〜１８のいずれか一項に記載のシステム。
【発明の詳細な説明】
【技術分野】
【０００１】
本発明は、人が水に溺れる危険を感知（又は検出（Erkennen））するための方法及びその実施のためのシステムに関する。
【背景技術】
【０００２】
単に他人に目撃されない緊急事態に陥ったということだけで世界中で多数の人々が毎年溺死の犠牲となっていることは、広く知られている。溺れる危険は、多くの場所、例えば、湖、河川、海、公衆の室内プール又は私有の水泳プールなどに存在する。これらの場合の多くでは、その緊急事態が他人に目撃され、かつ相応する救助活動が開始されれば、救助は容易に可能である。多くの場合、数分又は数秒でさえもが、危機に瀕している人の生死を決定する。
【０００３】
人を溺死から救うシステムは、それ自体公知である。このようなシステムは、例えば、ＵＳ２００６／００１９５６０  Ａ１（特許文献１）に記載されており、この文献に記載のシステムは、水接触センサ、脈拍センサ、ガス供給装置、ガス供給装置からガスを放出するための作動装置、ガス供給装置からガスを受け取るためにこのシステムを使用する人の身体に取り付けられた少なくとも１つのガスチャンバ、水中にいる人に関する位置決定装置、状態及び位置データをこのシステムから遠隔受信機へ送信するための送信機並びにこのシステムの機能ユニットのための少なくとも１つのエネルギー源を有している。
【０００４】
この公知のシステムは、所定の（又はある種の）緊急事態においては有用であるが、他の多くの場合においては溺死に対して保護が不十分である。生死にかかわる状況において、人は、それぞれ全く異なる反応を示す。溺れた人の状況及び気質（Varanlagung）に依存して、例えば、脈拍数が即時に有意に変化することなく、呼吸頻度が変化し得る。この場合、脈拍数における即時の有意な変化は、危機的状態にある人についての確実な徴候ではない。このような場合、その人の少なくとも１つの他の状態パラメータが、その人の危機的状況を迅速かつ明確に感知するために、同時に利用可能であるべきである。最適な確実性のために、また、唯一の又は他のパラメータの送信が、何であれいかなる理由であっても機能しないという危険性を考慮しても、より多くのパラメータが必要である。
【０００５】
このようなシステムが、できる限り考えられるすべての状況のおいて確実に機能するためには、危機に瀕した人の身体的性質のデータを、単に測定して監視の場所に送信するべきではない。監視下における人の身体的性質に依存しない情報を提供し、それでもなお、存在する危険をシステムに信号で送ることも、このシステムには望ましい。
【０００６】
しかし、これらのさらなる要求に関し、公知のシステムは、いまだ十分ではない。
【０００７】
したがって、最も多様な状況において信頼でき、それにより多くの人々の溺れる危険性を著しく低減する効果について、公知の方法及びシステムを完全にすることが早急に必要である。そのような方法及びシステムによって生命を救う確実性は、同じ程度に顕著に増大する。その点で、子供は、経験の欠如によりしばしば危険な状況の重大さを十分に速く認識せず、また、年齢により知覚及び反応が衰えている高齢者は、緊急事態、例えば、急な失神において迅速な行動ができないので、このような子供又は高齢者が主に該当する。
【先行技術文献】
【特許文献】
【０００８】
【特許文献１】ＵＳ２００６／００１９５６０  Ａ１
【発明の概要】
【発明が解決しようとする課題】
【０００９】
したがって、本発明の目的は、水中にいて溺れる危険にさらされた人のために、可能な限り考え得るすべての場合においてその人の危機的状況を高度な信頼性で示して、最初の救援活動を自動的に開始する方法及びシステムを提供することである。そして、このシステムは、その人の１又はそれ以上の実質的な身体機能が正常領域から逸脱するか及び／又はその人の身体状態から独立して測定される他の量がその人の溺れる危険を示す場合に応答する。
【課題を解決するための手段】
【００１０】
本発明は、人が水に溺れる危険を感知するための方法によって、この目的を解決するものであり、この方法では、
（ａ）この人が水中にいるかを確認し、
（ｂ）この人の脈拍数を測定し、
（ｃ）この人の位置を割り出し又は決定し（bestimmt）、
（ｄ）この人に装着された少なくとも１つのエネルギー源の容量をモニターし、
（ｅ）必要に応じて、状態及び位置データ（Zustands- und Positionsdaten）をこの人から遠隔受信機へ送信し、
（ｆ）この人の脈拍数が予め設定された境界値（又は閾値）を超えると、この人の身体に取り付けられたガスチャンバをガスで充填し、それによって水中での十分な浮力を付与し、及び
（ｇ）前記境界値を超えると、前記遠隔受信機において警報を作動させる。
【００１１】
この方法は、さらに、
（ｈ）この人の呼吸頻度を測定し、
（ｉ）この人が位置する水深での圧力及び必要に応じてこの人が沈む速度を測定し、
（ｊ）この人の体位を測定し、及び
（ｋ）評価及び信号ユニットにおいて、一方では予め設定された境界値データを格納し、他方ではステップ（ａ）〜（ｅ）並びに（ｈ）〜（ｊ）に従って生じたデータを格納し、かつこれらのデータを互いに比較して、前記生じたデータが前記所定の境界値データを超えるとき、前記ガスチャンバをガスで充填し、かつ前記遠隔受信機において警報を作動させる
ことを特徴とする。
【００１２】
本発明の方法の好ましい実施形態は、従属する方法の請求項において明記される。
【００１３】
したがって、呼吸頻度は、危機に瀕した人の腹式及び胸式呼吸に基づいて測定される。
【００１４】
さらに、ガスチャンバのガス充填を電気的に又は点火（着火）式で（もしくは火薬により）（pyrotechnisch）作動させることが適当である。
【００１５】
最も好ましくは、水中にいる人の位置の割り出しは、ＧＰＳシステム（Global Positioning System（グローバル・ポジショニング・システム））によって行われる。
【００１６】
また、評価及び信号ユニットから遠隔受信機へのデータの送信がＵＨＦ又はＶＨＦ送信機によって行われることは、技術的に容易に達成できる。
【００１７】
水中にいる人の体位の信頼性の高い測定は、２つの位置センサを同時に適用することにより達成される。
【００１８】
本発明はまた、前述の方法を実施するために、
（ａ）水接触センサ、
（ｂ）脈拍センサ、
（ｃ）ガス供給装置、
（ｄ）このガス供給装置からガスを放出するための作動装置、
（ｅ）このガス供給装置からのガスを受け入れるために人の身体に配された少なくとも１つのガスチャンバ、
（ｆ）この人の位置を割り出すための位置決定装置、
（ｇ）状態及び位置データを遠隔受信機へ無線送信するための送信機、
（ｈ）この送信機によって送信されたデータを受信するためのこの遠隔受信機、及び
（ｉ）このシステムのこれらの機能ユニットに電流を供給するための少なくとも１つのエネルギー源
を有するシステムによって、本発明の目的を解決する。
【００１９】
このシステムは、以下の特徴：
（ｊ）この人の呼吸頻度を測定するための呼吸センサ、
（ｋ）水圧センサ、
（ｌ）この人の体位を測定するための少なくとも１つの位置センサ、及び
（ｍ）予め設定された境界値データ及び送信されたデータを格納し、これらのすべてのデータを評価し、かつ前記ガス供給装置の作動装置及び前記送信機へ信号を送信するための評価及び信号ユニット
によって特徴付けられる。
【図面の簡単な説明】
【００２０】
【図１】図１は、本発明の一実施形態に従って、本発明のシステムの各機能ユニットを身体に装着している人の概略図を示す。
【図２】図２は、本発明の方法の一実施形態を説明するフローチャートを示す。
【発明を実施するための形態】
【００２１】
本発明のシステムは、従来技術と比較して、より多数の測定される量（Messgroessen）を記録する利点を有し、これらの量は、水中にいる人の溺れる危険を知らせるものである。したがって、溺れる人の救助に間に合う確実性が実質的に高くなる。さらに、人の身体機能に関して測定される量を監視するだけでなく、モニターされた人に起こり得る危険について知らせる他の物理量も監視される。これらの量が予め設定された境界値（又は閾値）を超えると、このシステムが警報を作動して、危機に瀕した人を救助するための迅速な救援活動の開始を可能にする。
【００２２】
身体機能に関して測定される前述の量は、脈拍数及び呼吸頻度である。これらと独立した前記物理量は、人のすぐ近くにおける水圧及び水中にいる人の体位である。
【００２３】
本発明において使用される水接触センサは、それ自体公知であり、異なる実施形態において市販品が利用可能である（例えば、コンラド・エレクトロニク社（Conrad Elektronik）、ヒルシャウ（Hirschau）から；スイッチとして商品番号７５０２０１−６２又はホイル（Folie）として商品番号６１０３７３−６２。これらは各々、装着された警報サイレンを省くことによる。）。水接触センサは、該当する人が水中にいるかを感知する。その機能原理は、導電水との接触に起因して閉じる開回路によるものである。
【００２４】
同様に、本発明において使用される脈拍センサは、それ自体公知であり、市販品が利用可能である（例えば、ポーラー・エレクトロ有限会社（Polar Electro GmbH）、ドイツ、ビュッテルボーン（Buettelborn）から；物品名称：Ｓ８１０ｉ、科学及び医学目的のための心拍モニタ）。脈拍センサは、人の脈拍数を連続的に測定する。
【００２５】
また、本発明において使用されるガス供給装置は、それ自体公知であり、市販品が利用可能である（例えば、ＳＫＳ社製、物品名称：エアガンカートリッジ；ハイバイク社（HiBike）、クロンベルク  イム  タウヌス（Kronberg i. Ts）から供給；商品番号８４１４００７１）。この装置は、その作動の際に所定量のガスが放出されるように形成される。
【００２６】
さらに、本発明において、ガス供給装置からガスを放出するために使用される作動装置は、それ自体公知であり、市販品が利用可能である。この装置は、ガス供給装置の開口機構を含む。開口機構は溶融体又は溶融可能な物質（Schmelzkoerper）で構成され、この溶融体は、例えば、電気エネルギーの供給によって昇温して膜を軟化させる。膜を軟化させることによって、膜を破ってそのリザーバからガスを放出し、次いで人の身体に取り付けられたガスチャンバへとガスを流入させてもよい。
【００２７】
好ましくは、本発明において使用され、人の身体に取り付けられたガスチャンバは、救命胴衣に一体化される。このような救命胴衣は公知であり、市販品が利用可能である（例えば、グローベトロッター社（Globetrotter）、２２１４５  ハンブルク（Hamburg）  バルグコッペルシュティーク（Bargkoppelstieg）  １０−１４から、モデル「Ｈｅｌｌｙ  Ｈａｎｓｅｎ  Ｋｉｄ  Ｓａｆｅ」）。
【００２８】
同様に、本発明において使用される位置決定装置は、それ自体公知であり、市販品が利用可能である（例えば、ガーミン社（Garmin）、ドイツ連邦共和国の支店：ＧＰＳ有限会社（GPS GmbH）、８２１６６  グレーフェルフィンク（Graefelfing）  ロッホハーマー  シュラーク（Lochhamer Schlag）  ５ａから）。
【００２９】
好ましくは、この装置は、例えば、慣用のＧＰＳシステムに従って作動し、人の救命胴衣に装着されたＧＰＳ受信機を有する。この受信機は、水中にいる人の実際の位置を連続的に検出する。ＧＰＳシステムの機能原理は、車両用の公知のナビゲーションシステムの原理に対応する。
【００３０】
さらに、本発明において使用される送信機は、それ自体公知であり、市販品が利用可能である（例えば、コンラド・エレクトロニク社、９２２４０  ヒルシャウ  クラウス−コンラド−シュトラーセ（Claus-Conrad-Str.）  １から）。この送信機は、本発明のシステムの各機能ユニットからの臨界データ並びにＧＰＳ受信機によって格納された最新の位置データを無線によって遠隔受信機（例えば、携帯電話又は他の受信装置）へ送信し、そしてそこで警報を作動させる役割を果たす。好ましくは、この送信機は、ＵＨＦ又はＶＨＦ送信機である。
【００３１】
本発明において使用されるエネルギー源は、本明細書に示される目的のために当業者に周知の任意のエネルギー源（例えば、１又はそれ以上のバッテリ（又は電池））であってもよい。好ましくは、エネルギー源を必要とするシステムの各技術ユニットは、専用のバッテリに取り付けられる。
【００３２】
本発明に従って適用される呼吸センサは、それ自体公知であり、市販品が利用可能である（例えば、ジムテスト−ブルーノ・ザック社（SimTest-Bruno Zak）、ジムバッハ  アム  イン（Simbach/Inn）から；物品名称：胸ベルト）。このセンサは、水中の人の呼吸の有無及びその呼吸の頻度を連続的に測定する。
【００３３】
同様に、本発明に従って適用される水圧センサは、それ自体公知であり、市販品が利用可能である（例えば、コンラド・エレクトロニク社、９２２４０  ヒルシャウ  クラウス−コンラド−シュトラーセ  １から）。このセンサは、該当する人が位置する水深及び必要に応じて人が沈む速度も一緒に連続的に測定する。
【００３４】
さらに、本発明に従って適用される位置センサは、それ自体公知であり、市販品が利用可能である（例えば、前述のジムテスト−ブルーノ・ザック社から）。この位置センサは、該当する人の身体に又は衣類の一部に装着されて、水中にいる人の体位（例えば、立位、仰臥位、右側位及び頭部を下にした直交位、並びに対応する中間位）を連続的に測定する。
【００３５】
評価及び信号ユニットは、本発明に従って適用され、それ自体公知である。しかし、このユニットによって満たされるべき機能を理解できれば、当業者が考案できる。これらの機能の１つは、マイクロチップへのデータの格納である。これらのデータは、水接触センサ、脈拍センサ、位置決定装置、エネルギー源、呼吸センサ、水圧センサ及び位置センサによって検出されて、評価及び信号ユニットに送信されるデータである。エネルギー源に関して、エネルギーの供給がシステムを確実に機能させるために十分であるかどうかを明示することも重要なデータである。もはや確実に機能しない場合には、評価及び信号ユニットは安全上の理由により警報信号を作動させる。
【００３６】
さらに、本発明のシステムの前記機能ユニットのための境界値データ並びにこのような境界値データの組み合わせ（例えば、脈拍数のための評価パターン）は、マイクロチップに格納される。所望の機能を理解できれば当業者によって開発され得るデータ処理プログラムを用いて、評価及び信号ユニットに送信されたデータを、対応する境界値データ又はその組み合わせと連続的に比較する。１もしくはそれ以上の境界値を超えるか又は境界値の組み合わせが監視される人の緊急事態に典型的なものであると検出された場合には、評価及び信号ユニットは、ガス供給装置の作動装置及び送信機に信号を送る。
【００３７】
したがって、この作動装置が作動すると、ガス供給装置は、放出可能なガスを排出し、一方送信機は、人の現在の状態及び位置データを無線によって遠隔受信機に送信する。
【００３８】
あるいは、境界値データを当面超えない場合であっても、送信機は、前記状態及び位置データを設定時間間隔で又は連続的に受信機に送信してもよい。
【００３９】
緊急事態を十分確実に把握するために、本発明のシステムの３つの機能ユニットにおいて測定される量が通常必要とされ、これらのユニットは、水接触センサ、脈拍センサ、呼吸センサ、水圧センサ及び位置センサから選択される。好ましくは、境界値プロファイルは、評価及び信号ユニットにおいてプログラム化され、これらのプロファイルは、各々、上記３つの必要な量（Groessen）の他に第４の測定される量を含み、測定されるある量が機能不良である場合においてもシステムがその機能を完全に実行することを確実にする。
【００４０】
本発明のシステムの好ましい実施形態は、システムの従属の請求項において明記される。
【００４１】
したがって、水接触センサは、好ましくは、スイッチ又はホイル（Folie）として形成される。ホイルは、水と接触したときにバイパスされる２つの別々の接点で構成される。電流は、この導体ブリッジを通ってこのセンサを作動し得る。
【００４２】
実用的には、脈拍センサもまた、胸ベルトに最も容易にかつ安全に装着される。
【００４３】
費用面及び環境保護のために、ガス供給装置は、好ましくは、圧縮空気を充填したカートリッジである。
【００４４】
技術的に容易に達成可能であるので、ガス供給装置からガスの放出するための作動装置は、電気的に又は点火式で作動可能な開口機構を有する場合が有利である。
【００４５】
好ましくは、ガスで充填できるガスチャンバは、救命胴衣又は他の相応する衣類の一部に一体化される。それによって、ガスチャンバは、有利に、いくつかのチャンバに分けられるか又はチューブ形状に設計される。各々の場合において、ガスチャンバは、救命胴衣又は衣類の一部に取り付けられるように設計され、ガスで充填した後に規定の浮力を水中の人に付与して、人を水面まで浮き上がらせ、かつ顔面が水面上に出るようにする。
【００４６】
このシステムを実用的に操作するために、呼吸センサが胸ベルトのバックルとして形成される場合が有利である。本明細書中において、例えば、このセンサは、バックルのピンに入れられる。このセンサは、呼吸によって生じるピンの微小な屈曲（Mikrodurchbiegung）に応答する圧電素子を含む。呼吸センサは、腹式呼吸及び胸式呼吸の両方を検出してもよい。人が緊急事態にあるか否かは呼吸頻度から監視可能であり、呼吸頻度の異常は、それ自体通常２つの異なる状態において現れる。一方の場合において、人が気絶しているか又は溺れている間は、無呼吸になる。他方の場合において、パニック又は不安な状況では、著しく速く呼吸するか又はあえぐ（Hecheln）ようになる。
【００４７】
好ましくは、水圧センサは、該当する人が位置する水深及びその人が沈む速度を連続的に測定するために設計又は形成（ausgebildet）される。これらの量は、人の身体状態の測定量には依存しないが、そのような測定量と同様に、人の危険の程度に関する重要な情報を構成する。
【００４８】
好ましくは、２つの位置センサが使用され、一方は、ほぼ人の肩の高さで装着されるものであり、他方は、ほぼ人の腰の高さで装着されるものである。これらの位置センサによって検出された体位は、例えば、０〜４ボルトの範囲において種々の電圧レベルとして出力される。
【００４９】
図面は、本発明を説明するものである。
【００５０】
図１によると、本発明のシステムを使用する人は、ガスチャンバ２（図示されていない。）を有する救命胴衣１を着用する。水接触センサ３、ガス供給装置４、このガス供給装置４に付けられかつガス供給装置４からガスを放出するための作動装置５（図示されていない。）、ＵＨＦ送信機７（図示されていない。）を有する位置決定装置６、水圧センサ８、人の腰のあたりに位置する第１の位置センサ９及び人の肩のあたりに位置する第２の位置センサ１０、並びに評価及び信号ユニット１１が、救命胴衣１に取り付けられている。
【００５１】
さらに、この人は、胸のあたりに位置する脈拍センサ１２及び呼吸センサ１３を装着する。
【００５２】
本発明のシステムは、送信機７によって送信されるデータを受信するために遠隔地に設置された受信機１４を含む。
【００５３】
このシステムの種々の機能ユニットがこれらのユニットを操作するためのエネルギー源を必要とする限り、このシステムには、各ユニットに供給されるバッテリが存在する。
【００５４】
本発明のシステムを装着した人の溺れる危険を感知するための本発明の方法の手順は、図２に従うフローチャートによって説明され、この手順は、以下のとおりである。
【００５５】
条件（Ａ）、（Ｂ）、（Ｃ）、（Ｄ）及び（Ｅ）は、図２において明記される。
【００５６】
水接触センサ３は、人が水中にいるかを感知する。人が水中にいると、条件（Ｃ）が満たされ、これは、このシステムの「スイッチがすぐに入（scharf geschaltet）」り、人の監視に必要な機能ユニットが作動することを意味する。
【００５７】
呼吸センサ１３は、呼吸頻度を連続的に測定し、脈拍センサ１２は、脈拍数を連続的に測定し、位置センサ９、１０の各々は、人の体位が水平であるか又は垂直であるか（位置センサ９によって測定される位置Ｉ、位置センサ１０によって測定される位置ＩＩ）を連続的に測定し、そして水圧センサ８は、人の腰の高さでの水圧を連続的に測定する。
【００５８】
呼吸頻度が上限値ｆ１（Δｔ）を超えるか又は下限値ｆ２（Δｔ）を下回ると、条件（Ａ）が満たされる。
【００５９】
脈拍数が上限値ｆ３（Δｔ）を超えるか又は下限値ｆ４（Δｔ）を下回ると、条件（Ｂ）が満たされる。
【００６０】
位置センサ９、１０の両方が、それぞれ人の垂直の体位を測定すると、条件（Ｄ）が満たされる。
【００６１】
水圧センサ８が所定の境界値（閾値）を超える圧力を測定すると、条件（Ｅ）が満たされる。
【００６２】
本発明の方法の一実施形態に従って、条件（Ａ）並びに（Ｃ）、（Ｄ）及び（Ｅ）又は条件（Ｂ）、（Ｃ）、（Ｄ）及び（Ｅ）が満たされて、評価及び信号ユニット１１によって検出されると、このユニットは対応する信号を作動させる。一方では、無線送信によって受信機１４で警報を作動しかつ条件（Ａ）、（Ｂ）、（Ｄ）及び（Ｅ）に従って現在の臨界データを表示する送信機７に、これらの信号を供給する。他方では、評価及び信号ユニット１１はまた、作動装置５に信号を送って、ガス供給装置４の開口機構を作動させ、そしてガス供給装置から流出するガスを、救命胴衣１のガスチャンバ２へ送り入れる。それによって、救命胴衣が膨らみ、水中にいる人に対して十分に大きな浮力を付与し、人を水面まで持ち上げ、顔面が水面上に留まるようにする。
【００６３】
送信機７に対してこの信号を作動させると同時に、水中にいる人の現在位置を、位置決定装置６によって受信機１４へ送信する。好ましくは、受信機１４は、ディスプレイ（表示部）を備えた携帯電話又は類似の移動型（携帯用）装置である。位置決定装置６は、慣用の車両用ナビゲーションシステムと同様に、矢印を表示させて、危機に瀕した人までの距離をメートル表示する。この矢印表示は、連続的に人を指し示す。それゆえ、救助者は、水中にいる人の位置まで迅速に到着でき、相応する救助活動を開始できる。
【００６４】
本発明の方法及び本発明のシステムはまた、条件（Ｃ）を除くように形成されてもよく、その場合は、警報を作動させるために、残りの条件（Ａ）、（Ｂ）、（Ｄ）及び（Ｅ）の選択のみが満たされる。
【図２】
2010508197.tif 000003
【図１】
2010508197.tif 000004
【国際調査報告】
2010508197.tif 000005
2010508197.tif 000006
2010508197.tif 000007
2010508197.tif 000008
2010508197.tif 000009
2010508197.tif 000010